【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
電気コテ形式の、コテ先に当たる金属部分に、『図６符号８」の耐熱プラスチックを被覆して、発熱部からコテ先に伝わる熱を、低温に導く形態と構造を考案し、電熱による、温熱指圧器に応用した。
【手続補正２】
【補正対象書類名】明細書
【補正対象項目名】全文
【補正方法】変更
【補正の内容】
【発明の詳細な説明】
【発明の名称】電熱式温熱指圧器
【技術の分野】
【０００１】              電熱で１００度位に熱せられた、発熱部に入れた金属棒に、耐熱プラスチックを被覆し、先端の球面を持つ部分を、身体の一部に押し当てることにより、低温のお灸と指圧を同時に行える器具である。お灸は肌に強いに熱さを与えないと効果がありませんので、指圧をする器具の先端は、電熱で熱せられているので、人肌に直接当てるには温度が高過ぎて無理ですから、布や皮革やプラスチック等で作ったキャップを被せて、接触温度を調整するようにしてあります  １００度の発熱部を、上記のように被覆した器具を人肌に器具を押し当てると、当初は弱い温感を皮膚に感じるが、秒間隔で器具内部の高温が、防熱キャップを通して徐々に肌に伝わり、やがて、肌が我慢が出来ない程熱くなるので、本人の我慢度合いで、器具を体から離します。  この指圧によって、肌に真赤な焼け跡が残るほどの、熱の伝導があります。
【背景技術】
【０００２】              人肌をモグサで直に焼かない、間接的なお灸の器具の中で、低温お灸と指圧を同時に行なう器具を私は知りません。  私が本器具を考案した発端と理由は次の通りです。  私はここ２年位、隔週にお灸をしていますが、お灸を旅先でも出来ないかと思って、ドリンク剤の空きビンを利用して、キャップの平面部に丸穴を明けて、先端が球面の真鍮の棒を取り付け、ビンにお湯を入れてキャップして、お灸をする箇所に布を当てた上から指圧をしたら、熱さと指圧でお灸に近い効果があったので、使い捨てた空きビンとキャップを利用した指圧器具を作れば、資源の再利用と安価な温熱指圧器具が作れて、世間に役に立つと考えました。  また、廃品のペットボトルの中に、電気による２００度の発熱器と、１００度に温度を設定する温度設定センサーを入れて、指圧棒に伝わる発熱を１００度に押えて、指圧実験をした結果、お湯の熱利用と同じ結果を得ました。  しかし、温度設定センサーの価格は、器具本体より高価に付くので、温度設定センサーを使わない方法を検討した結果、市場で１６０度の発熱機器で低価格の大量流通品を発見し、この安価な発熱器具を利用した方式を、昨年９月１３日「手続き補正」を申請しました。近来、電熱で低温発熱が可能と知り、尚、指圧棒の金属部分に、耐熱プラスチックを被覆する方法も取り入れて、本器具を改良しました。  安全の為、過熱防止ヒューズを取り付けました。
【発明の開示】
【発明の効果】
【０００３】                本器具は、従来より家庭で使われている間接のお灸器具より、器具代も消耗費用も安く上がり、お灸も指圧も同時に行なえる長所があります。  旅行に携帯しても、モグサのお灸のように、煙や匂いが出ません。
【発明を実施するための最良の形態】
【０００４】                指圧棒の先端のみならず、器具の発熱部も覆うことで、器具が体に接触する温度を低くします。
【課題を解決するための手段】
【０００５】                指圧をする指圧棒の先端は熱くて、体に直接触れるることは出来ないから、布で袋状の防熱被覆「図６符２」をして、温熱指圧を行なう。  電熱による発熱部には、火傷や火災を防ぐために、器具の温度が定温より上昇したら、電流が遮断される温度ヒューズの設置をしました。  温熱指圧を実行する時、指圧棒が最初に肌に触れる時の熱さが、強すぎると感じたら、被覆された指圧部の先端に、更に薄い布を重ねるか、低温用の指圧棒に取り替えれば、接触温度を尚下げて、温熱指圧が出来ます。  発熱部の熱が外部に伝わることを防ぐために、発熱部と外装の内側が接触する部分を、出来るだけ少なくして、発熱部の熱が外装に伝わることを、避けるようにする必要があります。
【発明が解決しようとする課題】
【０００６】発熱部より熱を伝導する「図６符号１４」の金属棒に、同図の「符号８」の耐熱プラスチック被覆した指圧棒で、指圧棒の先端に届く熱の伝導を低下させ、この指圧棒の先端を人体に押しつけて、温熱指圧を行なう。人それぞれに、体に触れる温度の感覚が違うし、その人の体の部位によっても、熱さを感じる度合いが違うから、前記指圧棒の熱の伝導度合いの違うものを数本用意して、自分の体に合う指圧棒を選んで、温熱指圧を行なう。
【実施例】
【０００７】                肌に伝わる器具の接触時間加減は、人それぞれに選びます。  肌に火脹れが出来る、モグサのお灸に近い熱を好む人は、発熱した器具を肌に押し当てる時間を長くすれば、肌に赤い焼け跡が残る程になりますから、器具の接触時間を長くしたり、同じ箇所を繰り返し温熱指圧をすれば良い。
【実施例】
【０００８】                指圧棒の先端に伝わる温度が異なる指圧棒を、数種類用意して各人が使い分ける方法が取る。
【発明の効果】
【０００９】                本器具は、指圧と温灸の両用の効果を求められます。  本器具により、従来の火傷をしない程度のお灸をする器具や費用より、安価で長期使用が可能です。  火傷をするぼどの熱さを我慢して、本格的お灸の効果に近づけたい人は、指圧時間を長くするか、同じ場所を何度も繰り返し温熱指圧をすれば、モグサのお灸の熱効果に近づきます。
【図面の簡単な説明】
【００１０】
【図１】ピストル型の温熱指圧器具の指圧棒に、防熱キャップを被せた正面図。
【図２】同上から防熱キャップを取った上面図
【図３】同上に防熱キャップを被せた底面図。
【図４】同上の左側面図。
【図５】同上の右側面図。
【図６】「図１」に「符号１５」の防熱カバーを付けたＡ〜Ｂ線の垂直断面図。
【図７】「図６」から「符号１５」の防熱カバーを外したＡ〜Ｂ線の水平断面図。
【図８】指圧棒の先端に被せる、布で作った防熱キャップ。
【図９】発熱部全体に被せる、布で作った防熱カバー。
【図１０】指圧棒のねじ込み部を付けた金属の箱と、その箱に発熱コイルを格納した立体図。
【図１１】電気による発熱コイルの立体図。
【図１２】「図１０」の断面図。
【図１３】過熱防止用の温度ヒューズ。
【図１４】発熱部に入れる金属棒に、耐熱プラスチックを被覆した指圧棒の断面図で、指圧棒の先端温度が、高く発生する構造の断面図。
【図１５】同上で、先端温度が中位に発生する構造の断面図。
【図１６】同上で、先端温度が低位に発生する構造の断面図。
【図１７】ピストル型と内部が同形態で、外部を円筒型にした温熱指圧器の外観図。
【符号の説明】
【００１２】  １  指圧棒「符号２」「符号８」で、指圧をする接点。  ２  指圧棒の熱を緩和するための防熱キャップ。  ３  防熱キャップを止める耐熱ゴムリング。  ４  温熱指圧器の外装を、抱き合わせ止めするネジ。  ５  発熱部が体に触った時の、熱さを防ぐ為の、防熱カバーを止める突起部分。  ６  外容器。  ７  電線コード。  ８  指圧棒の耐熱プラスチックの部分。  ９  指圧棒の先端の温度の高低を示す、条痕の数で示す条痕線。１０  指圧棒に布の被覆をする為の溝。１１  「符号６」に対向する外容器。１２  温度ヒューズを止めるネジ。１３  放熱穴。１４  指圧棒の金属部分。１５  発熱部が体に触った時の、熱さを和らげる防熱カバー。１６  同上の、カバーの折り返し部分。１７  同上の、カバーを縛り止める紐を通す穴。１８  指圧棒の取り付けネジ穴が付いた、発熱部のケース。１９  発熱ヒーター。２０  温度ヒューズの基盤。２１  温度ヒューズ本体。２２  １００ｖ電線。２３  外装と電線コードを止めるネジ穴。２４  電線コードを押える突起部。２５  「符号１５」のカバーの一部の断面図。
【手続補正４】
【補正対象書類名】図面
【補正対象項目名】全図
【補正方法】変更
【補正の内容】
【図１】
2005279221.tif 000001
【図２】
2005279221.tif 000002
【図３】
2005279221.tif 000003
【図４】
2005279221.tif 000004
【図５】
2005279221.tif 000005
【図６】
2005279221.tif 000006
【図７】
2005279221.tif 000007
【図８】
2005279221.tif 000008
【図９】
2005279221.tif 000009
【図１０】
2005279221.tif 000010
【図１１】
2005279221.tif 000011
【図１２】
2005279221.tif 000012
【図１３】
2005279221.tif 000013
【図１４】
2005279221.tif 000014
【図１５】
2005279221.tif 000015
【図１６】
2005279221.tif 000016
【図１７】
2005279221.tif 000017